【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
ハウジングと、
ユーザ入力エレメントと、
前記ユーザ入力エレメントに結合された位置センサであって、前記ユーザ入力エレメントの位置を検出するように構成され、前記位置をプロセッサに送信するようにさらに構成された、位置センサと、
前記ハウジング内に設置され、前記ユーザ入力エレメントに結合された、ハプティック出力デバイスであって、前記プロセッサからハプティック効果定義を受信するように構成され、受信した前記ハプティック効果定義に応じて前記ユーザ入力エレメントへの力を出力するようにさらに構成された、ハプティック出力デバイスと、
前記ユーザ入力エレメントがレンジ外の最大開位置または前記レンジ外の最大閉位置にあるときに出力された前記力に応じて前記ユーザ入力エレメントが移動できる前記レンジを設けるように構成された、ハプティック減少防止コンポーネントと、
を含み、
前記ユーザ入力エレメントは、トリガを含む、
周辺機器。
【請求項２】
前記ユーザ入力エレメントが前記レンジ外の前記最大開位置にあるときに、前記ハプティック減少防止コンポーネントは、スプリングを含み、
前記スプリングは、前記ユーザ入力エレメントと前記ハウジングの外側部分との間に開延長トラベルレンジがあるような位置に前記ユーザ入力エレメントを維持し、
出力された前記力に応じて前記ユーザ入力エレメントが移動できる前記レンジは、前記ユーザ入力エレメントと前記ハウジングの前記外側部分と間の前記開延長トラベルレンジを含む
請求項１記載の周辺機器。
【請求項３】
前記スプリングは、圧縮スプリングまたは片持スプリングの少なくとも一方を含む、請求項２記載の周辺機器。
【請求項４】
前記ユーザ入力エレメントが前記レンジ外の前記最大閉位置にあるときに、前記ハプティック減少防止コンポーネントはスプリングを含み、
前記スプリングは、オブジェクトが前記ユーザ入力エレメントを前記レンジ外の前記最大閉位置へと移動させたときに前記ユーザ入力エレメントと前記ハウジングの内側部分との間に閉延長トラベルレンジがあるような位置に前記ユーザ入力エレメントを維持し、
出力された前記力に応じて前記ユーザ入力エレメントが移動できる前記レンジは、前記ユーザ入力エレメントと前記ハウジングの前記内側部分との間の前記閉延長トラベルレンジを含む
請求項１記載の周辺機器。
【請求項５】
前記力は、運動感覚ハプティック効果として前記ハプティック出力デバイスから前記ユーザ入力エレメントに伝達される、請求項１記載の周辺機器。
【請求項６】
前記ハプティック出力デバイスは、アクチュエータを含む、請求項１記載の周辺機器。
【請求項７】
前記アクチュエータは、双方向押／引力を及ぼすように構成されたモータを含む、請求項６記載の周辺機器。
【請求項８】
前記プロセッサは、前記周辺機器の前記ハウジング内に設置される、請求項１記載の周辺機器。
【請求項９】
前記プロセッサは、前記周辺機器の前記ハウジングから離れた位置に設置される、請求項１記載の周辺機器。
【請求項１０】
前記ハプティック効果定義は、前記ユーザ入力エレメントの前記位置に応じて前記プロセッサにより生成される、請求項１記載の周辺機器。
【請求項１１】
前記ユーザ入力エレメントの前記最大開位置は、前記ユーザ入力エレメントが前記ハウジング内へと移動していない前記ユーザ入力エレメントの位置を含み、
前記ユーザ入力エレメントの前記最大閉位置は、前記ユーザ入力エレメントが前記ハウジング内へと最大距離を移動している前記ユーザ入力エレメントの位置を含む
請求項１記載の周辺機器。
【請求項１２】
プロセッサにより実行されると前記プロセッサにユーザ入力エレメントで経験されるハプティック効果を修正させる命令が記憶された、非一時的コンピュータ可読媒体であって、修正するステップは、
周辺機器のユーザ入力エレメントの位置を受信するステップであって、前記周辺機器は、ハウジングと、ユーザ入力エレメントと、前記ハウジング内に設置され、かつ前記ユーザ入力エレメントに結合されたハプティック出力デバイスと、ハプティック減少防止コンポーネントとを含む、ステップと、
受信した前記ユーザ入力エレメントの位置に応じて前記ハプティック出力デバイスにハプティック効果定義を送信するステップと、
前記ハプティック出力デバイスに、前記ハプティック効果定義に応じて前記周辺機器の前記ユーザ入力エレメントへの力を出力させるステップと、
を含み、
前記ハプティック減少防止コンポーネントは、前記ユーザ入力エレメントがレンジ外の最大開位置または前記レンジ外の最大閉位置あるときに出力された前記力に応じて前記ユーザ入力エレメントが移動できる前記レンジを設け、
前記ユーザ入力エレメントは、トリガを含む、
非一時的コンピュータ可読媒体。
【請求項１３】
前記ユーザ入力エレメントが前記レンジ外の前記最大開位置にあるときに、前記ハプティック減少防止コンポーネントは、スプリングを含み、
前記スプリングは、前記ユーザ入力エレメントと前記ハウジングの外側部分との間に開延長トラベルレンジがあるような位置に前記ユーザ入力エレメントを維持し、
出力された前記力に応じて前記ユーザ入力エレメントが移動できる前記レンジは、前記ユーザ入力エレメントと前記ハウジングの前記外側部分との間の前記開延長トラベルレンジを含む
請求項１２記載の非一時的コンピュータ可読媒体。
【請求項１４】
前記スプリングは、圧縮スプリングまたは片持スプリングの少なくとも一方を含む、請求項１３記載の非一時的コンピュータ可読媒体。
【請求項１５】
前記ユーザ入力エレメントが前記レンジ外の前記最大閉位置にあるときに、前記ハプティック減少防止コンポーネントは、スプリングを含み、
前記スプリングは、オブジェクトが前記ユーザ入力エレメントを前記レンジ外の前記最大閉位置へと移動させたときに前記ユーザ入力エレメントと前記ハウジングの内側部分との間に閉延長トラベルレンジがあるような位置に前記ユーザ入力エレメントを維持し、
出力された前記力に応じて前記ユーザ入力エレメントが移動できる前記レンジは、前記ユーザ入力エレメントと前記ハウジングの前記内側部分との間の前記閉延長トラベルレンジを含む
請求項１２記載の非一時的コンピュータ可読媒体。
【請求項１６】
ユーザ入力エレメントで経験されるハプティック効果を修正するためのコンピュータ実施方法であって、
周辺機器のユーザ入力エレメントの位置を受信するステップであって、前記周辺機器は、ハウジングと、ユーザ入力エレメントと、前記ハウジング内に設置され、かつ前記ユーザ入力エレメントに結合されたハプティック出力デバイスと、ハプティック減少防止コンポーネントとを含む、ステップと、
受信した前記ユーザ入力エレメントの位置に応じてハプティック効果定義を前記ハプティック出力デバイスに送信するステップと、
前記ハプティック出力デバイスに、前記ハプティック効果定義に応じて前記周辺機器の前記ユーザ入力エレメントへの力を出力させるステップと、
を含み、
前記ハプティック減少防止コンポーネントは、前記ユーザ入力エレメントがレンジ外の最大開位置または前記レンジ外の最大閉位置にあるときに出力された前記力に応じて前記ユーザ入力エレメントが移動できる前記レンジを設け、
前記ユーザ入力エレメントは、トリガを含む、
コンピュータ実施方法。
【請求項１７】
前記ユーザ入力エレメントが前記レンジ外の前記最大開位置にあるときに、前記ハプティック減少防止コンポーネントは、スプリングを含み、
前記スプリングは、前記ユーザ入力エレメントと前記ハウジングの外側部分との間に開延長トラベルレンジがあるような位置に前記ユーザ入力エレメントを維持し、
出力された前記力に応じて前記ユーザ入力エレメントが移動できる前記レンジは、前記ユーザ入力エレメントと前記ハウジングの前記外側部分との間の前記開延長トラベルレンジを含む
請求項１６記載のコンピュータ実施方法。
【請求項１８】
前記スプリングは、圧縮スプリングまたは片持スプリングの少なくとも一方を含む、請求項１７記載のコンピュータ実施方法。
【請求項１９】
前記ユーザ入力エレメントが前記レンジ外の前記最大閉位置にあるときに、前記ハプティック減少防止コンポーネントは、スプリングを含み、
前記スプリングは、オブジェクトが前記ユーザ入力エレメントを前記レンジ外の前記最大閉位置へと移動させたときに前記ユーザ入力エレメントと前記ハウジングの内側部分との間に閉延長トラベルレンジがあるような位置に前記ユーザ入力エレメントを維持し、
出力された前記力に応じて前記ユーザ入力エレメントが移動できる前記レンジは、前記ユーザ入力エレメントと前記ハウジングの前記内側部分との間の前記閉延長トラベルレンジを含む
請求項１６記載のコンピュータ実施方法。
【請求項２０】
ユーザ入力エレメントで経験されるハプティック効果を修正するためのシステムであって、
ハプティックトリガ修正モジュールを記憶するように構成されたメモリと、
前記メモリに記憶された前記ハプティックトリガ修正モジュールを実行するように構成されたプロセッサと、
を含み、
前記プロセッサは、前記ハプティックトリガ修正モジュールを実行したときに、周辺機器のユーザ入力エレメントの位置を受信するように構成され、前記周辺機器は、ハウジングと、ユーザ入力エレメントと、前記ハウジング内に設置され、かつ前記ユーザ入力エレメントに結合されたハプティック出力デバイスと、ハプティック減少防止コンポーネントとを含み、
前記プロセッサは、前記ハプティックトリガ修正モジュールを実行したときに、受信した前記ユーザ入力エレメントの位置に応じてハプティック効果定義を前記ハプティック出力デバイスに送信するようにさらに構成され、
前記プロセッサは、前記ハプティックトリガ修正モジュールを実行したときに、前記ハプティック出力デバイスに、前記ハプティック効果定義に応じて前記周辺機器の前記ユーザ入力エレメントへの力を出力させるようにさらに構成され、
前記ハプティック減少防止コンポーネントは、前記ユーザ入力エレメントが開位置または閉位置にあるときに出力された前記力に応じて前記ユーザ入力エレメントが移動できるレンジを設け、
前記ユーザ入力エレメントは、トリガを含む、
システム。
【請求項２１】
前記ユーザ入力エレメントが前記レンジ外の最大開位置にあるときに、前記ハプティック減少防止コンポーネントは、スプリングを含み、
前記スプリングは、前記ユーザ入力エレメントと前記ハウジングの外側部分との間に開延長トラベルレンジがあるような位置に前記ユーザ入力エレメントを維持し、
出力された前記力に応じて前記ユーザ入力エレメントが移動できる前記レンジは、前記ユーザ入力エレメントと前記ハウジングの前記外側部分との間の前記開延長トラベルレンジを含む
請求項２０記載のシステム。
【請求項２２】
前記スプリングは、圧縮スプリングまたは片持スプリングの少なくとも一方を含む、請求項２１記載のシステム。
【請求項２３】
前記ユーザ入力エレメントが前記レンジ外の最大閉位置にあるときに、前記ハプティック減少防止コンポーネントは、スプリングを含み、
前記スプリングは、オブジェクトが前記ユーザ入力エレメントを前記レンジ外の前記最大閉位置へと移動させたときに前記ユーザ入力エレメントと前記ハウジングの内側部分との間に閉延長トラベルレンジがあるような位置に前記ユーザ入力エレメントを維持し、
出力された前記力に応じて前記ユーザ入力エレメントが移動できる前記レンジは、前記ユーザ入力エレメントと前記ハウジングの前記内側部分との間の前記閉延長トラベルレンジを含む
請求項２０記載のシステム。